(57)【特許請求の範囲】
【請求項１】
被写界の光学像が照射される撮像面を有する撮像手段、
第１周期および前記第１周期より長い第２周期を含む複数の周期のいずれか１つに従ってタイミング信号を発生する発生手段、
前記撮像面で生成された被写界像を前記発生手段によって発生されたタイミング信号に応答して前記撮像手段から読み出す読み出し手段、
前記読み出し手段によって読み出された被写界像を形成するＬ個（Ｌ：２以上の整数）の部分画像の画像情報を抽出する第１抽出手段、
前記読み出し手段によって読み出された被写界像を形成するＭ個（Ｍ：Ｌを上回る２以上の整数）の部分画像の画像情報を抽出する第２抽出手段、
前記発生手段が前記第１周期に注目するとき前記第１抽出手段を選択し、前記発生手段が前記第２周期に注目するとき前記第２抽出手段を選択する選択手段、および
前記選択手段によって選択された抽出手段の抽出結果に基づいて画質関連条件を調整する第１調整手段を備える、電子カメラ。
【請求項２】
前記第２抽出手段の抽出処理は前記第１抽出手段の抽出処理から独立する、請求項１記載の電子カメラ。
【請求項３】
前記読み出し手段は前記被写界像をラスタ走査態様で読み出し、
前記調整手段は垂直ブランキング期間に前記画質関連条件を調整する、請求項１または２記載の電子カメラ。
【請求項４】
前記第１抽出手段および前記第２抽出手段の各々はハードウェア処理によって前記画質情報を抽出するための積分回路を含む、請求項１ないし３のいずれかに記載の電子カメラ。
【請求項５】
前記読み出し手段によって周期的に読み出された被写界像を動画像として記録する第１記録手段をさらに備える、請求項１ないし４のいずれかに記載の電子カメラ。
【請求項６】
前記調整手段は、複数の画質関連パラメータをそれぞれ調整する複数のパラメータ調整手段、および前記発生手段によって発生されたタイミング信号に応答して前記複数のパラメータ調整手段を択一的に起動する起動手段を含む、請求項１ないし５のいずれかに記載の電子カメラ。
【請求項７】
前記読み出し手段によって読み出された被写界像を形成するＮ個（Ｎ：Ｍを上回る整数）の部分画像の画像情報を抽出する第３抽出手段、
静止画記録操作が行われたとき前記第３抽出手段の抽出結果に基づいて前記画質関連条件を調整する第２調整手段、および
前記第２調整手段によって調整された画質関連条件に適合する被写界像を記録する第２記録手段をさらに備える、請求項１ないし６のいずれかに記載の電子カメラ。
【請求項８】
前記第３抽出手段はハードウェア処理によって前記画質情報を抽出するための積分回路を含む、請求項７に記載の電子カメラ。
【発明の詳細な説明】
【技術分野】
【０００１】
この発明は、電子カメラに関し、特にたとえば、互いに異なる複数のフレームレートのいずれかに従う動画像を撮影する、電子カメラに関する。
【背景技術】
【０００２】
従来のこの種の電子カメラの一例が、特許文献１に開示されている。この従来技術によれば、撮影される動画像のフレームレートがキー操作によって１５ｆｐｓと３０ｆｐｓとの間で切り換えられる。
【特許文献１】特開２００４−２３６２９０号公報［H04N 5/92,1/21,1/41,5/91］
【発明の開示】
【発明が解決しようとする課題】
【０００３】
しかし、露光量や白バランスのような画質関連条件の調整のために撮像面に割り当てられる評価エリアのマッピングがいずれのフレームレートについても共通であれば、次のような問題が生じる。つまり、評価エリアの数が多いと、フレームレートを高くしたときに処理の破綻を引き起す可能性がある。一方、評価エリアの数が少ないと、調整精度が低下する。
【０００４】
それゆえに、この発明の主たる目的は、処理の破綻を回避しつつ、画質関連条件を高い精度で調整することができる、電子カメラを提供することである。
【課題を解決するための手段】
【０００５】
請求項１の発明に従う電子カメラ(10)は、被写界の光学像が照射される撮像面を有する撮像手段(16)、第１周期および第１周期より長い第２周期を含む複数の周期のいずれか１つに従ってタイミング信号を発生する発生手段(30)、撮像面で生成された被写界像を発生手段によって発生されたタイミング信号に応答して撮像手段から読み出す読み出し手段(28)、読み出し手段によって読み出された被写界像を形成するＬ個（Ｌ：２以上の整数）の部分画像の画像情報を抽出する第１抽出手段(58c,60c,62c)、読み出し手段によって読み出された被写界像を形成するＭ個（Ｍ：Ｌを上回る整数）の部分画像の画像情報を抽出する第２抽出手段(58b,60b,62b)、発生手段が第１周期に注目するとき第１抽出手段を選択し、発生手段が第２周期に注目するとき第２抽出手段を選択する選択手段(S13,S15)、および選択手段によって選択された抽出手段の抽出結果に基づいて画質関連条件を調整する第１調整手段(S45,S49,S51,S53)を備える。
【０００６】
撮像手段は、被写界の光学像が照射される撮像面を有する。発生手段は、第１周期および第１周期よりも長い第２周期を含む複数の周期のいずれか１つに従って、タイミング信号を発生する。撮像面で生成された被写界像は、発生手段によって発生されたタイミング信号に応答して、読み出し手段によって読み出される。
【０００７】
第１抽出手段は、読み出し手段によって読み出された被写界像を形成するＬ個の部分画像の画像情報を抽出する。また、第２抽出手段は、読み出し手段によって読み出された被写界像を形成するＭ個の部分画像の画像情報を抽出する。
【０００８】
第１抽出手段は発生手段が第１周期に注目するときに選択手段によって選択され、第２抽出手段は発生手段が第２周期に注目するときに選択手段によって選択される。第１調整手段は、選択手段によって選択された抽出手段の抽出結果に基づいて、画質関連条件を調整する。
【０００９】
したがって、タイミング信号が第１周期で発生するときは、Ｌ個の部分画像の画像情報に基づいて画質関連条件が調整される。これに対して、タイミング信号が第２周期で発生するときは、Ｍ個の部分画像の画像情報に基づいて画質関連条件が調整される。ここで、第２周期は第１周期よりも長く、かつＭはＬを上回るため、タイミング信号の周期が長いほど、多くの部分画像が参照される。
【００１０】
これによって、第１周期に従う動画撮影時は、画質関連条件の調整精度の向上よりも調整処理に要する時間の短縮化が優先され、第２周期に従う動画撮影時は、画質関連条件の調整処理に要する時間よりも調整精度の向上が優先される。この結果、処理の破綻の回避と、画質関連条件の調整精度の向上とが両立する。
【００１１】
請求項２の発明に従う電子カメラは、請求項１に従属し、第２抽出手段の抽出処理は第１抽出手段の抽出処理から独立する。これによって、第１抽出手段によって抽出された抽出結果は第２抽出手段によって抽出された抽出結果と同じタイミングで生成される。
【００１２】
請求項３の発明に従う電子カメラは、請求項１または２に従属し、第１抽出手段および第２抽出手段の各々はハードウェア処理によって画質情報を抽出するための積分回路を含む。この結果、画質情報が迅速に生成される。
【００１３】
請求項４の発明に従う電子カメラは、請求項１ないし３のいずれかに従属し、読み出し手段によって周期的に読み出された被写界像を動画像として記録する第１記録手段(S55)をさらに備える。こうして、動画像が記録される。
【００１４】
請求項５の発明に従う電子カメラは、請求項１ないし４のいずれかに従属し、第１調整手段は、複数の画質関連パラメータをそれぞれ調整する複数のパラメータ調整手段(S49,S53)、および発生手段によって発生されたタイミング信号に応答して複数のパラメータ調整手段(S45,S51)を択一的に起動する起動手段を含む。これによって、画質関連条件の調整処理が間欠的に実行される。
【００１５】
請求項６の発明に従う電子カメラは、請求項１ないし５のいずれかに従属し、読み出し手段によって読み出された被写界像を形成するＮ個（Ｎ：Ｍを上回る整数）の部分画像の画像情報を抽出する第３抽出手段(58a,60a,62a)、静止画記録操作が行われたとき第３抽出手段の抽出結果に基づいて画質関連条件を調整する第２調整手段(S33)、および第２調整手段によって調整された画質関連条件に適合する被写界像を記録する第２記録手段(S37)をさらに備える。
【００１６】
第３抽出手段は、読み出し手段によって読み出された被写界像を形成するＮ個の部分画像の画像情報を抽出する。第２調整手段は、静止画記録操作が行われたとき第３抽出手段の抽出結果に基づいて画質関連条件を調整する。第２調整手段によって調整された画質関連条件に適合する被写界像は、第２記録手段によって記録される。ここで、第２記録手段は、第２調整手段によって調整された後に開始される。
【００１７】
したがって、静止画記録時は、画質関連条件の調整処理に要する時間よりも調整精度の向上が優先される。
【００１８】
請求項７の発明に従う電子カメラは、請求項６に従属し、第３抽出手段はハードウェア処理によって画質情報を抽出するための積分回路を含む。この結果、静止画撮影時の画質情報が迅速に生成される。
【発明の効果】
【００１９】
この発明によれば、第１周期に従う動画撮影時は、画質関連条件の調整精度の向上よりも調整処理に要する時間の短縮化が優先され、第２周期に従う動画撮影時は、画質関連条件の調整処理に要する時間よりも調整精度の向上が優先される。この結果、処理の破綻の回避と、画質関連条件の調整精度の向上とが両立する。
【００２０】
この発明の上述の目的，その他の目的，特徴および利点は、図面を参照して行う以下の実施例の詳細な説明から一層明らかとなろう。
【発明を実施するための最良の形態】
【００２１】
図１を参照して、この実施例のカメラ１０は、光学レンズ１２を含む。被写界の光学像は、光学レンズ１２を経てイメージセンサ１６の撮像面に照射され、光電変換を施される。絞りユニット１４はドライバ２６によって駆動され、これによって絞り量が調整される。また、イメージセンサ１６の撮像面は原色ベイヤ配列の色フィルタ（図示せず）によって覆われており、各画素において生成される電荷量はＲ，ＧまたはＢの色の光強度に依存する。
【００２２】
モードスイッチ３６によって静止画撮影モードが選択されかつ、静止画撮影操作つまりカメラ１０に形成されたシャッタボタン（図示せず）を押下する操作が行われると、静止画撮影処理が実行される。このときは、水平方向および垂直方向の各々に１６分割された２５６個の分割ブロック（図２（Ａ）参照）が、撮像面に割り当てられる。
【００２３】
また、モードスイッチ３６によって動画撮影モードが選択されかつ、動画撮影操作つまりシャッタボタンを押下する操作が行われると、動画撮影処理が実行される。１５ｆｐｓ動画撮影態様つまりカメラ１０に形成された切換ボタン３８がオン態様であれば、１５ｆｐｓ動画撮影処理が行われる。このときは、水平方向に８分割されかつ垂直方向に１６分割された１２８個の分割ブロック（図２（Ｂ）参照）が、撮像面に割り当てられる。
【００２４】
一方、３０ｆｐｓ動画撮影態様つまり切換ボタン３８がオフ態様であれば、３０ｆｐｓ動画撮影処理が行われる。このときは、水平方向および垂直方向の各々に８分割された６４個の分割ブロック（図２（Ｃ）参照）が、撮像面に割り当てられる。
【００２５】
静止画撮影操作が行われかつ、タイミングジェネレータ（ＴＧ）３０が垂直同期信号Ｖｓｙｎｃを発生すると、図３（Ａ）に示すように、画質関連条件に適合する調整処理が行われ、この調整結果に基づいて記録処理が行われる。なお、静止画像撮影操作が行われてから垂直同期信号Ｖｓｙｎｃが３回〜９回発生した後に、記録処理が開始される。
【００２６】
具体的には、図１に戻って、ＣＰＵ３４はまず、静止画撮影用に撮像面を設定し、１／３０秒毎に垂直同期信号Ｖｓｙｎｃを発行すべき命令をＴＧ３０に与える。ドライバ２８は、１／３０秒毎に発生する垂直同期信号Ｖｓｙｎｃに応答して、撮像面で生成される被写界像を読み出し、これによって生成された生画像信号はラスタ走査態様でイメージセンサ１６から出力される。ＣＤＳ／ＡＧＣ／ＡＤ回路１８は、イメージセンサ１６から出力された生画像信号に相関２重サンプリング，自動ゲイン調整およびＡ／Ｄ変換の一連の処理を施し、ディジタル信号である生画像データを出力する。生画像データは、色分離回路２０によって色分離を施され、Ｒデータ，ＧデータおよびＢデータが色分離回路２０から同時に出力される。白バランス調整回路２２は、ＲデータおよびＢデータに白バランス調整を施し、こうして得られたＲデータ，ＧデータおよびＢデータをＹＵＶ変換回路２４および評価回路３２に同時に出力する。ＹＵＶ変換回路２４は、白バランス調整回路２２から入力されたＲデータ，ＧデータおよびＢデータにマトリクス演算を施す。これによって、ＹＵＶ形式の画像データが生成される。
【００２７】
評価回路３２は、白バランス調整回路２２から出力されたＲデータ，ＧデータおよびＢデータに評価処理を施し、こうして得られたＲ評価値，Ｇ評価値およびＢ評価値をＣＰＵ３４に出力する。ＣＰＵ３４は、Ｒ評価値，Ｇ評価値およびＢ評価値に基づいて露出調整および白バランス調整を施す。こうして、記録処理に適合するように画質関連条件が調整される。
【００２８】
このような調整処理が完了した後にＴＧ３０から垂直同期信号Ｖｓｙｎｃが発生すると、ＣＰＵ３４はＴＧ３０に本露光を命令し、イメージセンサ１６はＴＧ３０によって本露光を施される。本露光によって得られた生画像信号に基づくＹＵＶ形式の画像データは、メモリ制御回路４０によって一旦ＳＤＲＡＭ４２に格納され、ＪＰＥＧコーデック４８によって圧縮処理を施され、そしてＩ／Ｆ回路５２を介して記録媒体５４に記録される。こうして、静止画撮影処理が実現される。
【００２９】
１５ｆｐｓ動画撮影態様で動画撮影操作が行われると、図３（Ｂ）に示すように、１／１５秒毎に発生する垂直同期信号Ｖｓｙｎｃに応答して、撮影条件調整処理つまり露出調整処理および白バランス調整処理が周期的に実行される。
【００３０】
具体的には、図１に戻って、ＣＰＵ３４は、１５ｆｐｓ動画撮影用に撮像面を設定し、１／１５秒毎に垂直同期信号Ｖｓｙｎｃを発生すべき命令をＴＧ３０に与える。ＴＧ３０から垂直同期信号Ｖｓｙｎｃが発生すると、撮像面で生成された被写界像は、１／１５秒毎にドライバ２８によって読み出され、これによって生成された生画像信号はラスタ走査態様でイメージセンサ１６から出力される。そして、上述と同様の処理が実行され、露光によって得られた生画像信号に基づく画像データは、メモリ制御回路４０によってＳＤＲＡＭ４２に格納される。
【００３１】
ビデオエンコーダ４４は、メモリ制御回路４０に読み出しリクエストを与える。メモリ制御回路４０は、このリクエストに応じてＳＤＲＡＭ４２から画像データをＮＴＳＣフォーマットに従うコンポジットビデオ信号に変換し、変換されたコンポジットビデオ信号をＬＣＤモニタ４６に与える。この結果、１／１５秒毎のスルー画像がモニタ画面に表示される。
【００３２】
ＣＰＵ３４はまた、ＭＰＥＧ−４コーデック５０を起動する。ＭＰＥＧ−４コーデック５０は、垂直同期信号Ｖｓｙｎｃが発生する毎に、ＳＤＲＡＭ４２から各フレームの画像データを読み出し、読み出された画像データにＭＰＥＧ−４フォーマットに従う圧縮処理を施す。画像データは、１５フレームに１回程度の割合でイントラ符号化を施され、残りのフレームでインター符号化を施される。圧縮処理によって生成された圧縮動画像データつまりＭＰＥＧデータは、ＳＤＲＡＭ４２に書き込まれる。ＳＤＲＡＮ４２に格納された圧縮動画像データは、Ｉ／Ｆ回路５２を介して記録媒体５４に記録される。こうして、１５ｆｐｓでの動画撮影処理が実現される。
【００３３】
なお、バス５６上での画像データの転送速度は、ＹＵＶ変換回路２４，ビデオエンコーダ４４，ＪＰＥＧコーデック４８，ＭＰＥＧ−４コーデック５０の各々の処理速度よりも格段に速い。このため、画像データがバス５６上で衝突することなく、データ転送処理が破綻することもない。
【００３４】
図３（Ｂ）によれば、基準値ｉは垂直同期信号Ｖｓｙｎｃが発生する毎に“０”，“１”，“２”，“０”，“１”，“２”・・・のように循環的に繰り返される。基準値ｉが“０”のとき、ＣＰＵ３４は、評価回路３２から得られたＲ評価値，Ｇ評価値およびＢ評価値よりＹ評価値を算出し、このＹ評価値に基づいて露出調整を行う。基準値ｉが“１”のとき、ＣＰＵ３４は評価回路３２から得られたＲ評価値，Ｇ評価値およびＢ評価値に基づいて白バランス調整を行う。基準値ｉが“２”のとき、ＣＰＵ３４は同期を図るべく待機する。こうして、記録処理に適合するように画質関連条件が適宜調整される。
【００３５】
また、３０ｆｐｓ動画撮影態様で動画撮影操作が行われると、図３（Ｃ）に示すように、１／３０秒毎に発生する垂直同期信号Ｖｓｙｎｃに応答して、撮影条件調整処理が周期的に実行される。
【００３６】
具体的には、図１に戻って、ＣＰＵ３４は、３０ｆｐｓ動画撮影用に撮像面を設定し、１／３０秒毎に垂直同期信号Ｖｓｙｎｃを発生すべき命令をＴＧ３０に与える。ＴＧ３０から垂直同期信号Ｖｓｙｎｃが発生すると、撮像面で生成された被写界像は、１／３０秒毎にドライバ２８によって読み出され、そして、上述と同様の処理が１／３０秒毎に実行される。なお、画像データは、３０フレームに１回程度の割合でイントラ符号化を施され、残りのフレームでインター符号化を施される。
【００３７】
図４を参照して、評価回路３２は、ハードウェアによって構成され、積分回路５８ａ〜５８ｃ，セレクタ５８ｄ，バッファ５８ｅ，積分回路６０ａ〜６０ｃ，セレクタ６０ｄ，バッファ６０ｅ，積分回路６２ａ〜６２ｃ，セレクタ６２ｄ，バッファ６２ｅ，およびセレクタ６４を有する。
【００３８】
積分回路５８ａ，６０ａおよび６２ａの各々は、図２（Ａ）に示す要領で撮像面に割り当てられた２５６個の分割ブロックに注目する。積分回路５８ｂ，６０ｂおよび６２ｂの各々は、図２（Ｂ）に示す要領で撮像面に割り当てられた１２８個の分割ブロックに注目する。積分回路５８ｃ，６０ｃおよび６２ｃの各々は、図２（Ｃ）に示す要領で撮像面に割り当てられた６４個の分割ブロックに注目する。
【００３９】
積分回路５８ａは、２５６個の分割ブロックの各々に属するＲデータのデータ値を積分して２５６個のＲ評価値を求め、積分回路５８ｂは、１２８個の分割ブロックの各々に属するＲデータのデータ値を積分して１２８個のＲ評価値を求め、積分回路５８ｃは、６４個の分割ブロックの各々に属するＲデータのデータ値を積分して６４個のＲ評価値を求める。
【００４０】
積分回路６０ａは、２５６個の分割ブロックの各々に属するＧデータのデータ値を積分して２５６個のＧ評価値を求め、積分回路６０ｂは、１２８個の分割ブロックの各々に属するＧデータのデータ値を積分して１２８個のＧ評価値を求め、積分回路６０ｃは、６４個の分割ブロックの各々に属するＧデータのデータ値を積分して６４個のＧ評価値を求める。
【００４１】
積分回路６２ａは、２５６個の分割ブロックの各々に属するＢデータのデータ値を積分して２５６個のＢ評価値を求め、積分回路６２ｂは、１２８個の分割ブロックの各々に属するＢデータのデータ値を積分して１２８個のＢ評価値を求め、積分回路６２ｃは、６４個の分割ブロックの各々に属するＢデータのデータ値を積分して６４個のＢ評価値を求める。
【００４２】
積分回路５８ａ〜５８ｃ，６０ａ〜６０ｃ，６２ａ〜６２ｃのいずれも、ハードウェア処理によって上述の積分を実行する。
【００４３】
このように、積分回路５８ａ〜５８ｃの抽出処理は、積分回路６０ａ〜６０ｃの抽出処理および積分回路６２ａ〜６２ｃの抽出処理から独立し、積分回路６０ａ〜６０ｃの抽出処理は、積分回路６２ａ〜６２ｃの抽出処理から独立する。これによって、積分回路５８ａ〜５８ｃによって積分されたＲ評価値は、積分回路６０ａ〜６０ｃによって積分されたＧ評価値と積分回路６２ａ〜６２ｃによって積分されたＢ評価値と同じタイミングで生成される。
【００４４】
静止画撮影操作が行われたとき、ＣＰＵ３４は、撮像面を静止画撮影用に設定すべく積分回路５８ａ，６０ａおよび６２ａを選択する命令をセレクタ５８ｄ，６０ｄおよび６２ｄに発行する。そして、セレクタ５８ｄは積分回路５８ａから出力されるＲ評価値をバッファ５８ｅに蓄え、セレクタ６０ｄは積分回路６０ａから出力されるＧ評価値をバッファ６０ｅに蓄え、そしてセレクタ６２ｄは積分回路６２ａから出力されるＢ評価値をバッファ５８ｅに蓄える。
【００４５】
セレクタ６４は、バッファ５８ｅに蓄えられたＲ評価値，バッファ６０ｅに蓄えられたＧ評価値、およびバッファ６２ｅに蓄えられたＢ評価値をＣＰＵ３４に形成されたレジスタ３４ｒに一度に出力する。この結果、２５６個の分割ブロックに基づく画像情報が得られる。
【００４６】
一方、切換ボタン３８がオン態様で動画撮影操作が行われたとき、ＣＰＵ３４は、撮像面を１５ｆｐｓ動画撮影用に設定すべく、積分回路５８ｂ，６０ｂおよび６２ｂを選択する命令をセレクタ５８ｄ，６０ｄおよび６２ｄに発行する。そして、上述と同様の処理が実行される。
【００４７】
セレクタ６４はまた、バッファ６０ｅに蓄えられたＧ評価値、バッファ５８ｅに蓄えられたＲ評価値、およびバッファ６２ｅに蓄えられたＢ評価値をレジスタ３４ｒに一度に出力する。この結果、１２８個の分割ブロックに基づく画像情報が得られる。
【００４８】
また、切換ボタン３８がオフ態様で動画撮影操作が行われたとき、ＣＰＵ３４は、撮像面を３０ｆｐｓ動画撮影用に設定すべく、積分回路５８ｃ，６０ｃおよび６２ｃを選択する命令をセレクタ５８ｄ，６０ｄおよび６２ｄに発行する。そして、上述と同様の処理が実行され、この結果、６４個の分割ブロックに基づく画像情報が得られる。
【００４９】
動画撮影態様で間欠的に行われる調整処理について、図５（Ａ）および図５（Ｂ）を用いて具体的に説明する。図５（Ａ）によれば、１／１５秒毎に発生する垂直同期信号Ｖｓｙｎｃのうちある１回目の垂直同期信号Ｖｓｙｎｃが発生すると、１回目の垂直同期信号Ｖｓｙｎｃが発生してから２回目の垂直同期信号Ｖｓｙｎｃが発生するまでに露光が行われる。２回目の垂直同期信号Ｖｓｙｎｃが発生すると、この露光に基づく１２８個の分割ブロックの各々に属するＲデータ，１２８個の分割ブロックの各々に属するＧデータおよび１２８個の分割ブロックの各々に属するＢデータが３回目の垂直同期信号Ｖｓｙｎｃが発生するまでに評価回路３２に転送される。３回目の垂直同期信号Ｖｓｙｎｃが発生すると、ＣＰＵ３４は、評価回路３２から１２８個のＲ評価値，１２８個のＧ評価値および１２８個のＢ評価値を取り込み、こうして取り込まれた１２８個のＲ評価値，１２８個のＧ評価値および１２８個のＢ評価値に基づいて画質関連条件を調整する。
【００５０】
図５（Ｂ）によれば、１／３０秒毎に発生する垂直同期信号Ｖｓｙｎｃのうちある１回目の垂直同期信号Ｖｓｙｎｃが発生すると、１回目の垂直同期信号Ｖｓｙｎｃが発生してから２回目の垂直同期信号Ｖｓｙｎｃが発生するまでに露光が行われる。２回目の垂直同期信号Ｖｓｙｎｃが発生すると、この露光に基づく６４個の分割ブロックの各々に属するＲデータ，６４個の分割ブロックの各々に属するＧデータおよび６４個の分割ブロックの各々に属するＢデータが３回目の垂直同期信号Ｖｓｙｎｃが発生するまでに評価回路３２に転送される。３回目の垂直同期信号Ｖｓｙｎｃが発生すると、ＣＰＵ３４は、評価回路３２から６４個のＲ評価値，６４個のＧ評価値および６４個のＢ評価値を取り込み、こうして取り込まれた６４個のＲ評価値，６４個のＧ評価値および６４個のＢ評価値に基づいて画質関連条件を調整する。
【００５１】
このように、積分回路５８ｃ，６０ｃおよび６２ｃは、ドライバ２８によって読み出された被写界像を形成する６４個の分割ブロックの画像情報を抽出する。また、積分回路５８ｂ，６０ｂおよび６２ｂは、ドライバ２８によって読み出された被写界像を形成する１２８個の分割ブロックの画像情報を抽出する。
【００５２】
積分回路５８ｃ，６０ｃおよび６２ｃはＴＧ３０が垂直同期信号Ｖｓｙｎｃを１／３０秒毎に発生するときにＣＰＵ３４によって選択され、積分回路５８ｂ，６０ｂおよび６２ｂはＴＧ３０が垂直同期信号Ｖｓｙｎｃを１／１５秒毎に発生するときにＣＰＵ３４によって選択される。ＣＰＵ３４は、評価回路３２から出力された画像情報に基づいて、画質関連条件を調整する。
【００５３】
したがって、垂直同期信号Ｖｓｙｎｃが１／３０秒で発生するときは、６４個の分割ブロックの画像情報に基づいて画質関連条件が調整される。これに対して、垂直同期信号Ｖｓｙｎｃが１／１５秒で発生するときは、１２８個の分割ブロックの画像情報に基づいて画質関連条件が調整される。ここで、１／１５秒は１／３０秒よりも長く、かつ１２８は６４を上回るため、垂直同期信号Ｖｓｙｎｃの周期が長いほど、多くの分割ブロックが参照される。
【００５４】
これによって、３０ｆｐｓでの動画撮影時は、画質関連条件の調整精度の向上よりも調整処理に要する時間の短縮化が優先され、１５ｆｐｓでの動画撮影時は、画質関連条件の調整処理に要する時間よりも調整精度の向上が優先される。この結果、処理の破綻の回避と、画質関連条件の調整精度の向上とが両立する。
【００５５】
ＣＰＵ３４は、撮影操作が行われたとき、具体的には図６〜図８に示すフロー図に従う処理を行う。なお、このフローに対応する制御プログラムは、フラッシュメモリ（図示せず）に記憶される。
【００５６】
まず、図６に示すステップＳ１で静止画撮影操作が行われたか否かを判別する。静止画撮影操作が行われなければ、ステップＳ７に進む一方、静止画撮影操作が行われると、ステップＳ３で積分回路５８ａ，６０ａおよび６２ａを選択する命令を評価回路３２に発行する。このとき、セレクタ５８ｄ，６０ｄおよび６２ｄは積分回路５８ａ，６０ａおよび６２ａから出力されるＲ評価値，Ｇ評価値およびＢ評価値をバッファ５８ｅ，６０ｅおよび６２ｅにそれぞれ蓄える。この結果、２５６個の分割ブロックの各々のＲ評価値，Ｇ評価値およびＢ評価値が評価回路３２で生成される。
【００５７】
ステップＳ５では静止画像処理を実行する。これによって、静止画撮影操作に基づく高解像度の画像データが生成される。
【００５８】
ステップＳ７では、動画撮影操作が選択されたか否かを判別する。動画撮影操作が行われなければ、ステップＳ９でその他の処理を行い、この処理を終えると、ステップＳ１に戻る。一方、動画撮影操作が行われると、ステップＳ１１で１５ｆｐｓ動画撮影態様であるか否かを判別する。
【００５９】
切換ボタン３８がオン態様であれば、ステップＳ１３で積分回路５８ｂ，６０ｂ，および６２ｂを選択する命令を評価回路３２に発行する。このとき、セレクタ５８ｄ，５８ｄおよび６２ｄは積分回路５８ｂ，６０ｂおよび６２ｂから出力されるＲ評価値，Ｇ評価値およびＢ評価値をバッファ５８ｅ，６０ｅおよび６２ｅにそれぞれ蓄える。この結果、１２８個の分割ブロックの各々のＲ評価値，Ｇ評価値およびＢ評価値が評価回路３２で生成される。
【００６０】
一方、切換ボタン３８がオフ態様であれば、ステップＳ１５で積分回路５８ｃ，６０ｃおよび６２ｃを選択する命令を評価回路３２に発行する。このとき、セレクタ５８ｄ，６０ｄおよび６２ｄは積分回路５８ｃ，６０ｃおよび６２ｃから出力されるＲ評価値，Ｇ評価値およびＢ評価値をバッファ５８ｅ，６０ｅおよび６２ｅにそれぞれ蓄える。この結果、６４個の分割ブロックの各々のＲ評価値，Ｇ評価値およびＢ評価値が評価回路３２で生成される。
【００６１】
ステップＳ１７では、初期化を行う。このとき、基準値ｉを“０”に設定する。ステップＳ１９では、動画撮影処理を行う。この処理を終えると、ステップＳ２１で動画撮影終了操作が行われたか否かを判別する。判別結果がＮＯであれば、ステップＳ１９に戻り、判別結果がＹＥＳであれば、ステップＳ１に戻る。
【００６２】
ステップＳ５の静止画撮影処理は、図７に示すサブルーチンに従う。ステップＳ３１では、垂直同期信号Ｖｓｙｎｃが与えられるまで待機する。垂直同期信号Ｖｓｙｎｃが与えられると、ステップＳ３３で画質関連条件に適合する調整処理を行う。この調整処理を終えると、ステップＳ３５で垂直同期信号Ｖｓｙｎｃが与えられるまで待機する。垂直同期信号Ｖｓｙｎｃが与えられると、ステップＳ３７で調整結果に基づく記録処理を行う。記録処理を終えると、上位ルーチンに復帰する。
【００６３】
ステップＳ１９の動画撮影処理は、図８に示すサブルーチンに従う。ステップＳ４１では、垂直同期信号Ｖｓｙｎｃが与えられるまで待機する。垂直同期信号Ｖｓｙｎｃが与えられると、ステップＳ４３で評価回路３２からＲ評価値，Ｇ評価値およびＢ評価値を取り込む。このとき、セレクタ６４は、バッファ５８ｅに蓄えられたＲ評価値をレジスタ３４ｒに出力し、バッファ６０ｅに蓄えられたＧ評価値をレジスタ３４ｒに出力し、そしてバッファ６２ｅに蓄えられたＢ評価値をレジスタ３４ｒに出力する。
【００６４】
ステップＳ４５では、基準値ｉが“０”であるか否かを判別する。判別結果がＮＯであれば、ステップＳ５１に進み、判別結果がＹＥＳであれば、ステップＳ４７で、取り込んだＲ評価値，Ｇ評価値およびＢ評価値よりＹ評価値を算出する。ステップＳ４９では、このＹ評価値に基づいて露出調整処理を実行する。これによって、この時点で最適な露出となるシャッタ速度と絞り量とが調整される。
【００６５】
ステップＳ５１では、基準値ｉが“１”であるか否かを判別する。判別結果がＮＯであれば、基準値ｉは“２”であると判別されステップＳ５５に進み、判別結果がＹＥＳであれば、ステップＳ５３で、取り込んだＲ評価値，Ｇ評価値およびＢ評価値に基づいて白バランス調整処理を実行する。これによって、この時点で白バランスが最適となるＲゲインとＢゲインとが設定される。
【００６６】
ステップＳ５５では、ドライバ２８によって周期的に読み出された被写界像を動画像として記録する。こうして、記録媒体５４に動画像が記録される。
【００６７】
ステップＳ５７では、基準値ｉをインクリメントし、ステップＳ５９で基準値ｉが“２”を上回るか否かを判別する。判別結果がＮＯであれば、上位ルーチンに復帰し、判別結果がＹＥＳであれば、ステップＳ６１で基準値ｉを“０”に設定し、この後に上位ルーチンに復帰する。
【図面の簡単な説明】
【００６８】
【図１】この発明の一実施例の構成を示すブロック図である。
【図２】（Ａ）は画面に形成された分割エリアの一例を示す図解図であり、（Ｂ）は画面に形成された分割エリアの他の一例を示す図解図であり、そして（Ｃ）は画面に形成された分割エリアのその他の一例を示す図解図である。
【図３】（Ａ）は静止画撮影処理中の動作の一例を示す図解図であり、（Ｂ）は１５ｆｐｓ動画撮影処理中の動作の一例を示す図解図であり、そして（Ｃ）は３０ｆｐｓ動画撮影処理中の動作の一例を示す図解図である。
【図４】図１実施例に適用される評価回路の構成の一例を示す図解図である。
【図５】（Ａ）は１５ｆｐｓ動画撮影処理中の動作の一例を示す図解図であり、（Ｂ）は３０ｆｐｓ動画撮影処理中の動作の一例を示す図解図である。
【図６】図１実施例に適用されるＣＰＵの動作の一部を示すフロー図である。
【図７】図１実施例に適用されるＣＰＵの動作の他の一部を示すフロー図である。
【図８】図１実施例に適用されるＣＰＵの動作のその他の一部を示すフロー図である。
【符号の説明】
【００６９】
１０  …カメラ
１６  …イメージセンサ
２２  …白バランス調整回路
２８  …ドライバ
３０  …タイミングジェネレータ
３２  …評価回路
３４  …ＣＰＵ
４２  …ＳＤＲＡＭ
５８ａ〜５８ｃ，６０ａ〜６０ｃ，６２ａ〜６２ｃ  …積分回路
５８ｅ，６０ｅ，６２ｅ，６４  …セレクタ
５８ｅ，６０ｅ，６２ｅ  …バッファ
【図１】
0004610488.tif 000002
【図２】
0004610488.tif 000003
【図３】
0004610488.tif 000004
【図４】
0004610488.tif 000005
【図５】
0004610488.tif 000006
【図６】
0004610488.tif 000007
【図７】
0004610488.tif 000008
【図８】
0004610488.tif 000009